(57)【要約】【課題】被吊り下げ対象物の吊り下げ可能な部分に接続されると共に、ランドセルなどの支持対象物側に取り付けられる連結体を、支持対象物側から、さらには、被吊り下げ対象物側からも、容易に取り外せるようにする。【解決手段】被吊り下げ対象物Ｎに取り外し可能に取り付けられる連結体１と、支持対象物Ｒへの取付部２０と、連結体１との組み合わせ突部２１とを備えたベース体２とを有している。連結体１は、ヒンジ部１２を屈曲させて第一部分１０の貫通穴１０ａに第二部分１１の突出部１１ｂをはめ入れた状態において、屈曲されたヒンジ部１２の内方に被吊り下げ対象物Ｎの吊り下げ可能な部分を保持可能な空間１２ａを持つようにしてある。第二部分１１の貫通穴１１ａ内には、貫通穴１１ａへのベース体２の組み合わせ突部２１の入れ込みに伴ってこの組み合わせ突部２１に掛合される掛合部１１ｅが形成されている。【選択図】　　　図４
2004100861.tif 000002
【特許請求の範囲】
【請求項１】
被吊り下げ対象物を取り外し可能に支持対象物に吊り下げる吊り下げ具であって、
被吊り下げ対象物に取り外し可能に取り付けられる連結体と、
支持対象物への取付部と、連結体との組み合わせ突部とを備えたベース体とを有しており、
連結体は、
貫通穴を備えた第一部分と、
ベース体の組み合わせ突部を入れ込み可能な貫通穴を備えると共に、この貫通穴の穴縁部に第一部分の貫通穴にはめ入れられる突出部を備えた第二部分と、
この第一部分と第二部分とを連接させ合うヒンジ部とを有しており、
このヒンジ部を屈曲させて第一部分の貫通穴に第二部分の突出部をはめ入れた状態において、屈曲されたヒンジ部の内方に被吊り下げ対象物の吊り下げ可能な部分を保持可能な空間が形成されるようにしてあると共に、
第二部分の貫通穴内には、この貫通穴へのベース体の組み合わせ突部の入れ込みに伴ってこの組み合わせ突部に掛合される掛合部が形成されていることを特徴とする吊り下げ具。
【請求項２】
連結体の第二部分における掛合部が、第二部分の貫通穴内に突き出す一対の弾性片体によって、この一対の弾性片体の間に形成されていると共に、
ベース体の組み合わせ突部の先端には頭部が形成されており、
一対の弾性片体の間に、この一対の弾性片体を弾性変形させながら組み合わせ突部の頭部が通し抜けさせられるようにしてあることを特徴とする請求項１記載の吊り下げ具。
【発明の詳細な説明】
【発明の属する技術分野】
【０００１】
この発明は、ナス環などの被吊り下げ対象物を取り外し可能にランドセルなどの支持対象物に吊り下げるために用いられる吊り下げ具の改良に関する。
【０００２】
【従来の技術】
ランドセルなどの袋掛けなどとして用いられる吊り下げ具として、特許文献１に示されるものなどが知られている。
【０００３】
従来、この種の吊り下げ具は、図１４に示されるように、被吊り下げ対象物１００（ナス環）に形成された吊り下げ可能な部分１０１に通した連結片２００を、ランドセルなどの支持対象物の側面３００にリベット４００により直接止め付けてこの側面に備え付けられていた。
【０００４】
【特許文献１】
特開平９−５１８４５号公報
【０００５】
【発明が解決しようとする課題】
吊り下げ具に作用される荷重は、前記連結片２００と吊り金具１０１との接触箇所およびこの連結片２００とランドセルなどの支持対象物の側面３００との止め付け箇所に強く作用される。このため、かかる連結片２００は経時的に損耗などし易いところである。しかし、従来は、この連結片２００はランドセルなどの支持対象物の側面３００に直接止め付けられていたため、連結片２００が損耗などした場合に単純に連結片２００のみを交換する訳には行かなかった。すなわち、損耗などした連結片２００とランドセルなどの支持対象物の側面３００との止め付けをなしていたリベット４００を抜き取り、しかる後に新しい連結片２００を再びランドセルなどの支持対象物の側面３００にリベット４００により止め付けなければ、かかる連結片の交換をなし得なかった。
【０００６】
そこでこの発明は、この種の吊り下げ具において、被吊り下げ対象物の吊り下げ可能な部分に接続されると共に、ランドセルなどの支持対象物側に取り付けられる連結体を、支持対象物側から、さらには、被吊り下げ対象物側からも、容易に取り外せるようにして、かかる連結体が損耗などした場合に、容易にその交換をなせるようにすることを主たる目的とする。
【０００７】
【課題を解決するための手段】
前記目的を達成するために、請求項１記載の発明にあっては、吊り下げ具が以下の（１）〜（６）の構成を備えたものとした。
（１）被吊り下げ対象物を取り外し可能に支持対象物に吊り下げる吊り下げ具であって、
（２）被吊り下げ対象物に取り外し可能に取り付けられる連結体と、
（３）支持対象物への取付部と、連結体との組み合わせ突部とを備えたベース体とを有しており、
（４）連結体は、
貫通穴を備えた第一部分と、
ベース体の組み合わせ突部を入れ込み可能な貫通穴を備えると共に、この貫通穴の穴縁部に第一部分の貫通穴にはめ入れられる突出部を備えた第二部分と、
この第一部分と第二部分とを連接させ合うヒンジ部とを有しており、
（５）このヒンジ部を屈曲させて第一部分の貫通穴に第二部分の突出部をはめ入れた状態において、屈曲されたヒンジ部の内方に被吊り下げ対象物の吊り下げ可能な部分を保持可能な空間が形成されるようにしてあると共に、
（６）第二部分の貫通穴内には、この貫通穴へのベース体の組み合わせ突部の入れ込みに伴ってこの組み合わせ突部に掛合される掛合部が形成されている。
【０００８】
かかる構成によれば、先ず、被吊り下げ対象物の吊り下げ可能な部分に、例えば、環状に形成された金属やプラスチックなどよりなる環状部分や、紐状体などから構成された輪状をなす部分などの囲繞空間を内方に備えた部分に、第一部分または第二部分をヒンジ部による連接側と反対の端部側から入れ込み、この吊り下げ可能な部分の内方にヒンジ部を位置づけた後、このヒンジ部を屈曲させながら第一部分の貫通穴内に第二部分の突出部をはめ入れることにより、被吊り下げ対象物の吊り下げ可能な部分に連結体をワンタッチで取り付けることができる。
【０００９】
次いで、このように被吊り下げ対象物に取り付けられた連結体は、第一部分の貫通穴の内方に第二部分の貫通穴を位置させることから、この第二部分の貫通穴にベース体の組み合わせ突部を入れ込ませることにより、かかる連結体を介して被吊り下げ対象物を支持対象物に吊り下げ状に支持させることができる。
【００１０】
第二部分の貫通穴内には、ベース体の組み合わせ突部に対する掛合部が形成されていることから、ベース体と連結体との組み合わせ状態は安定的に維持され、この連結体を介して支持対象物に吊り下げ状に支持される被吊り下げ対象物のこの支持状態も安定的に維持される。
【００１１】
被吊り下げ対象物の支持対象物への支持状態は、ベース体の組み合わせ突部を連結体を構成する第二部分の貫通穴から抜き出させることにより、解除できる。
【００１２】
また、被吊り下げ対象物側から加わる荷重は連結体を構成する第二部分の貫通穴および被吊り下げ対象物の吊り下げ可能な部分に接するヒンジ部に作用されるため、経時的には、連結体におけるこの第二部分の貫通穴を巡る部分などは損耗などが生じることが予想されるが、このような損耗などが生じた場合であっても、連結体のみを交換することにより対処することができ、こうした損耗などが生じた場合に被吊り下げ具全体を取り替える必要がない特長を有する。
【００１３】
また、第一部分の貫通穴から第二部分の突出部を抜き出させて第一部分と第二部分との組み合わせ状態を解いた後、被吊り下げ対象物の吊り下げ可能な部分から連結体を抜き出させることにより、連結体と被吊り下げ対象物とを分離させることもでき、被吊り下げ対象物の交換も容易になすことができる。
【００１４】
また、請求項２記載の発明にあっては、請求項１記載の吊り下げ具における、連結体の第二部分における掛合部が、第二部分の貫通穴内に突き出す一対の弾性片体によって、この一対の弾性片体の間に形成されていると共に、
ベース体の組み合わせ突部の先端には頭部が形成されており、
一対の弾性片体の間に、この一対の弾性片体を弾性変形させながら組み合わせ突部の頭部が通し抜けさせられるようにしてあることを特徴としている。
【００１５】
かかる構成によれば、第一部分の貫通穴に突出部をはめ込ませてこの第一部分に組み合わされた第二部分の貫通穴内に、ベース体の組み合わせ突部を入れ込ませることにより、一対の弾性片体をこのように入れ込まれる頭部によって撓み込ませながら、この一対の弾性片体の間に、すなわち、第二部分の貫通穴に、組み合わせ突部の頭部を入れ込み、かつ、この貫通穴から通し抜け出させることができる。この貫通穴から頭部が抜け出されると一対の弾性片体は弾性復帰され、その間において組み合わせ突部の頸部が保持され、また、この頭部の顎部面が一対の弾性片体に引っ掛かり、ベース体の組み合わせ突部と連結体との組み合わせ状態は安定的に維持される。この組み合わせ状態から組み合わせ突部を第二部分の貫通穴から抜き出すように連結体を移動操作すると、一対の弾性片体は頭部に押し当てられて再び弾性変形され、貫通穴からの組み合わせ突部の抜き出しが許容される。
【００１６】
【発明の実施の形態】
以下、図１ないし図１３に基づいて、この発明の典型的な実施の形態について説明する。
【００１７】
なお、ここで図１ないし図３は、ベース体２に連結体１を組み合わせる過程が理解しやすいように、被吊り下げ対象物Ｎに取り付けられた連結体１と、支持対象物Ｒに取り付けられたベース体２とを、正面から見た状態で示しており、図１に示されるように、連結体１を横向きにしてこの連結体１の貫通穴１１ａにベース体２の組み合わせ突部２１を入れ込ませた後、図２に示されるように、連結体１を図１における右側にややスライド移動させることにより、図３の吊り下げ状態を作り出すことができるようになっている。また、図４は、図３の吊り下げ状態を断面にして示している。
【００１８】
また、図５ないし図７は、ベース体２をそれぞれ示しており、図８ないし図１０は、連結体１をそれぞれ示している。
【００１９】
また、図１１ないし図１３は、被吊り下げ対象物Ｎに連結体１を取り付けた状態を、それぞれ示している。
【００２０】
この実施の形態にかかる吊り下げ具は、ナス環Ｎａなどの被吊り下げ対象物Ｎを取り外し可能にランドセルなどの支持対象物Ｒに吊り下げるために用いられるものである。
【００２１】
かかる吊り下げ具は、
被吊り下げ対象物Ｎに取り外し可能に取り付けられる連結体１と、
支持対象物Ｒへの取付部２０と、連結体１との組み合わせ突部２１とを備えたベース体２とを有している。
【００２２】
連結体１は、
貫通穴１０ａを備えた第一部分１０と、
ベース体２の組み合わせ突部２１を入れ込み可能な貫通穴１１ａを備えると共に、この貫通穴１１ａの穴縁部に第一部分１０の貫通穴１０ａにはめ入れられる突出部１１ｂを備えた第二部分１１と、
この第一部分１０と第二部分１１とを連接させ合うヒンジ部１２とを有している。
【００２３】
図示の例にあっては、第一部分１０は、外郭形状を略小判型とすると共に、この外郭形状に倣った略小判型の長穴状をなす貫通穴１０ａを備えた環状体として構成されている。すなわち、第一部分１０は、その内郭形状も略小判型をなすように構成されている。
【００２４】
また、第二部分１１は、外郭形状を第一部分１０の外郭形状とほぼ同じ形状で、かつ、ほぼ同じ大きさの略小判型としていると共に、この板状体に形成された貫通穴１１ａの穴縁部に、この板状体の一面側において前記突出部１１ｂを備えている。
【００２５】
かかる突出部１１ｂは、第一部分１０の貫通穴１０ａの穴形状に倣った略小判型の外郭形状を有すると共に、第一部分１０の貫通穴１０ａにはめ込まれる外径を持つように構成されている。すなわち、かかる突出部１１ｂは、第二部分１１の貫通穴１１ａを巡る周回突部状をなすように構成されていると共に、この貫通穴１１ａの側に向けられた突部側面と反対の突部側面によって略小判型の外郭形状を持つように構成されている。また、かかる突出部１１ｂの突き出し寸法と、第一部分１０の厚さ寸法とがほぼ等しくなるようにしてある。
【００２６】
そして、図示の例では、この突出部１１ｂの外郭形状及び外径と、第一部分１０の貫通穴１０ａの穴形状及び穴径とがほぼ等しくなるようになっており、第一部分１０の貫通穴１０ａの長さ方向に第二部分１１の突出部１１ｂの長さ方向を揃える向きで、この第一部分１０の貫通穴１０ａに第二部分１１の突出部１１ｂを入れ込み切らせることにより、第一部分１０の一面と第二部分１１の一面とを密着させた状態でこの第一部分１０と第二部分１１とが簡単には分離しない状態で組み合わされるようになっている。
【００２７】
図示の例では、連結体１は全体として、ナイロンなどの軟質のプラスチック材料によって構成されており、第一部分１０と第二部分１１とは、この第一部分１０の貫通穴１０ａへの第二部分１１の突出部１１ｂの前記入れ込みに伴って、主として、第一部分１０の貫通穴１０ａの穴径を弾性的に広がり出させるようにこの第一部分１０を弾性変形させながら、前記のように組み合わされるようになっている。
【００２８】
また、ヒンジ部１２は、一端を第一部分１０に一体に接合させ、かつ、他端を第二部分１１に一体に接合させていると共に、この一端と他端との間を屈曲可能とする薄肉の板状をなすように構成されている。
【００２９】
図示の例では、第一部分１０の幅方向に沿った一端部と、第二部分１１の幅方向に沿った一端部との間に、かかるヒンジ部１２が設けられている。
【００３０】
具体的には、第一部分１０の幅方向に沿った一端部と第二部分１１の幅方向に沿った一端部とにはそれぞれ、連接用片部１０ｂ、１１ｃが形成されている。ヒンジ部１２は、この連接用片部１０ｂ、１１ｃの厚さのほぼ半分の厚さを有すると共に、ヒンジ部１２の一面を、第一部分１０と第二部分１１における前記組み合わせ時に外側に向けられる面よりもやや外方に位置させるように設けられている。すなわち、ヒンジ部１２は、第一部分１０の連接用片部１０ｂとヒンジ部１２の他面との間に段差面１０ｃを形成させるようにしてこの第一部分１０の連接用片部１０ｂにヒンジ部１２の一端を一体に連接させていると共に、第二部分１１の連接用片部１１ｃとヒンジ部１２の他面との間に段差面１１ｄを形成させるようにしてこの第二部分１１の連接用片部１１ｃにヒンジ部１２の他端を一体に連接させている。第一部分１０はヒンジ部１２を屈曲させない展開状態（図８ないし図１０に示される状態）において第二部分１１の側方に配される。
【００３１】
そして、このヒンジ部１２を屈曲させて第一部分１０の貫通穴１０ａに第二部分１１の突出部１１ｂをはめ入れた状態（つまり、第一部分１０と第二部分１１とを前記のように組み合わせた状態）において、屈曲されたヒンジ部１２の内方に被吊り下げ対象物Ｎの吊り下げ可能な部分を保持可能な空間１２ａが形成されるようにしてある。
【００３２】
図示の例にあっては、第一部分１０と第二部分１１とを前記のように組み合わせた状態において、連結体１の幅方向に穴軸を沿わせた軸穴状をなす空間１２ａがヒンジ部１２の内方に形成されるようにしてある。
【００３３】
また、前記第二部分１１の貫通穴１１ａ内には、この貫通穴１１ａへのベース体２の組み合わせ突部２１の入れ込みに伴ってこの組み合わせ突部２１に掛合される掛合部１１ｅが形成されている。
【００３４】
図示の例にあっては、ベース体２は、略長方形の板状をなすように構成されている。そして、その幅方向に沿った一端部を上方に位置させ、かつ、その幅方向に沿った他端部を下方に位置させるようにして、前記取付部２０をもって支持対象物Ｒに取り付けられるように構成されている。
【００３５】
具体的には、図示の例にあっては、ベース体２の背面２２を支持対象物Ｒの側面Ｒａ、例えば、ランドセルの側部外面に添装させるようにして、ベース体２は支持対象物Ｒに取り付けられるようになっている。
【００３６】
図示の例では、ベース体２の上端部側に、ベース体２の前面２３から前方に突き出すように前記組み合わせ突部２１が形成されていると共に、この組み合わせ突部２１の突き出し端とベース体２の背面２２との間に亘って、軸端をカシメ付けることが可能な鋲Ｓの軸の通し穴２０ａが形成されている。また、ベース体２の下端部側に、同様な鋲Ｓの軸の通し穴２０ｂが形成されている。そして、図示の例にあっては、ベース体２の上端部側に形成された鋲の通し穴２０ａにベース体２の前面２３側から入れ込ませた鋲Ｓの軸端を支持対象物Ｒの取付穴に通した状態でカシメ付けると共に、このベース体２の下端部側に形成された鋲の通し穴２０ｂにベース体２の前面２３側から入れ込ませた鋲Ｓの軸端を支持対象物Ｒの取付穴に通した状態でカシメ付けることにより、支持対象物Ｒに対しベース体２を取り付けることができるようになっている。すなわち、図示の例では、かかるベース体２の鋲の通し穴２０ａ、２０ｂが前記取付部２０として機能するようになっている。
【００３７】
これにより、この実施の形態にかかる吊り下げ具によれば、先ず、被吊り下げ対象物Ｎの吊り下げ可能な部分、例えば、各図に示されるように構成されたナス環Ｎａの上部環部Ｎｂに第一部分１０または第二部分１１をヒンジ部１２による連接側と反対の端部側から入れ込み、この吊り下げ可能な部分の内方にヒンジ部１２を位置づけた後、このヒンジ部１２を屈曲させて第一部分１０の貫通穴１０ａ内に第二部分１１の突出部１１ｂをはめ入れることにより、被吊り下げ対象物Ｎの吊り下げ可能な部分に連結体１をワンタッチで取り付けることができる。
【００３８】
次いで、このように被吊り下げ対象物Ｎに取り付けられた連結体１は、第一部分１０の貫通穴１０ａの内方に第二部分１１の貫通穴１１ａを位置させることから、この第二部分１１の貫通穴１１ａにベース体２の組み合わせ突部２１を入れ込ませることにより、かかる連結体１を介して被吊り下げ対象物Ｎを支持対象物Ｒに吊り下げ状に支持させることができる。
【００３９】
第二部分１１の貫通穴１１ａ内には、ベース体２の組み合わせ突部２１に対する掛合部１１ｅが形成されていることから、ベース体２と連結体１との組み合わせ状態は安定的に維持され、この連結体１を介して支持対象物Ｒに吊り下げ状に支持される被吊り下げ対象物Ｎのこの支持状態も安定的に維持される。
【００４０】
被吊り下げ対象物Ｎの支持対象物Ｒへの支持状態は、ベース体２の組み合わせ突部２１を連結体１を構成する第二部分１１の貫通穴１１ａから抜き出させることにより、解除できる。
【００４１】
また、被吊り下げ対象物Ｎ側から加わる荷重は連結体１を構成する第二部分１１の貫通穴１１ａおよび被吊り下げ対象物Ｎの吊り下げ可能な部分に接するヒンジ部１２に作用されるため、経時的には、連結体１におけるこの第二部分１１の貫通穴１１ａを巡る部分などに損耗が生じることが予想されるが、このような損耗などが生じた場合であっても、連結体１のみを交換することにより対処することができ、こうした損耗などが生じた場合に被吊り下げ具全体を取り替える必要がない特長を有する。
【００４２】
また、第一部分１０の貫通穴１０ａから第二部分１１の突出部１１ｂを抜き出させて第一部分１０と第二部分１１との組み合わせ状態を解いた後、被吊り下げ対象物Ｎの吊り下げ可能な部分から連結体１を抜き出させることにより、連結体１と被吊り下げ対象物Ｎとを分離させることもでき、被吊り下げ対象物Ｎの交換も容易になすことができる。
【００４３】
図示の例では、かかる連結体１の第二部分１１における掛合部１１ｅが、第二部分１１の貫通穴１１ａ内に突き出す一対の弾性片体１１ｆ、１１ｆによって、この一対の弾性片体１１ｆ、１１ｆの間に形成されていると共に、ベース体２の組み合わせ突部２１の先端には頭部２１ａが形成されている。
【００４４】
そして、かかる一対の弾性片体１１ｆ、１１ｆの間に、この一対の弾性片体１１ｆ、１１ｆを弾性変形させながら組み合わせ突部２１の頭部２１ａが通し抜けさせられるようにしてある。
【００４５】
図示の例にあっては、一対の弾性片体１１ｆ、１１ｆは、第二部分１１の貫通穴１１ａにおけるヒンジ部１２の側にある穴内壁と反対の穴内壁に基部を一体に連接させて、この貫通穴の長さ方向に沿って延びる棒状をなすように構成されている。一対の弾性片体１１ｆ、１１ｆは、ほぼ同寸、同形をなすように構成されている。また、一対の弾性片体１１ｆ、１１ｆは、第二部分１１の肉厚内に納まるように構成されている。また、一対の弾性片体１１ｆ、１１ｆの先端と第二部分１１の貫通穴１１ａにおけるヒンジ部１２の側にある穴内壁との間には、ベース体２の組み合わせ突部２１における頭部２１ａの外径よりもやや狭い間隔が形成されている。図示の例では、ベース体２の組み合わせ突部２１における頭部２１ａは、第二部分１１の貫通穴１１ａの幅方向の寸法とほぼ等しい外径を備えた円形の外郭形状を備えるように構成されている。また、一対の弾性片体１１ｆ、１１ｆの基部間には、ベース体２の組み合わせ突部２１における頸部２１ｂの納まる空間１２ａが形成されていると共に、この一対の弾性片体１１ｆ、１１ｆの先端側の間隔はこの頸部２１ｂの外径よりもやや狭くなるように構成されている。また、一対の弾性片体１１ｆ、１１ｆにおける他方の弾性片体１１ｆに向き合わない側部と貫通穴１１ａにおける長さ方向に沿った穴内面との間には、この弾性片体１１ｆの撓み出しを許容する隙間１１ｇが形成してある。
【００４６】
これにより、図示の例にあっては、第一部分１０の貫通穴１０ａに突出部１１ｂをはめ込ませてこの第一部分１０に組み合わされた第二部分１１の貫通穴１１ａ内に、この突出部１１ｂの突き出し側と反対の側からベース体２の組み合わせ突部２１を入れ込ませることにより、一対の弾性片体１１ｆ、１１ｆをこのように入れ込まれる頭部２１ａによって撓み込ませながら、この一対の弾性片体１１ｆ、１１ｆの間に、すなわち、第二部分１１の貫通穴１１ａに、組み合わせ突部２１の頭部２１ａを入れ込み、かつ、この貫通穴１１ａから通し抜け出させることができる。この貫通穴１１ａから頭部２１ａが抜け出されると一対の弾性片体１１ｆ、１１ｆは弾性復帰され、その間において組み合わせ突部２１の頸部２１ｂが保持され、また、この頭部２１ａの顎部面２１ｃが一対の弾性片体１１ｆ、１１ｆに引っ掛かり、ベース体２の組み合わせ突部２１と連結体１との組み合わせ状態は安定的に維持される。この組み合わせ状態から組み合わせ突部２１を第二部分１１の貫通穴１１ａから抜き出すように連結体１を移動操作すると、一対の弾性片体１１ｆ、１１ｆは頭部２１ａに押し当てられて再び弾性変形され、貫通穴１１ａからの組み合わせ突部２１の抜き出しが許容される。
【００４７】
図示の例にあっては、第二部分１１の貫通穴１１ａにおけるヒンジ部１２の側にある穴内壁が、第二部分１１の突出部１１ｂの形成側と反対の面側からこの突出部１１ｂの形成側の面側に向けて次第にこの貫通穴１１ａの長さ寸法を広げ出させる向きに傾斜した傾斜面１１ｈとなっていると共に、一対の弾性片体１１ｆ、１１ｆの先端部にはそれぞれ、この傾斜面１１ｈと同じ向きに傾斜した案内面１１ｉが形成されており、この傾斜面１１ｈおよび案内面１１ｉによって、第二部分１１の貫通穴１１ａへの前記ベース体２の組み合わせ突部２１の頭部２１ａの入れ込みと通し抜けとが無理なくなされるようになっている。
【００４８】
図示の例では、ベース体２の上端部に、ベース体２の幅方向に沿ってベース体２の前面２３から突き出す立ち上がり壁部２４が形成されている。そして、この立ち上がり壁部２４によって、第二部分１１の貫通穴１１ａに対し、この貫通穴１１ａの長さ方向をベース体２の幅方向、つまり、立ち上がり壁部２４の延設方向に沿わせた状態でのみ、この貫通穴１１ａにベース体２の組み合わせ突部２１が入れ込めるようにしてある。（図１）かかる立ち上がり壁部２４と組み合わせ突部２１の頸部２１ｂとの間の間隔は、一対の弾性片体１１ｆ、１１ｆの基部側にあるこの一対の弾性片体１１ｆ、１１ｆ間にある貫通穴１１ａの内壁と、第二部分１１におけるヒンジ部１２との連接側と反対の外縁との間の間隔よりもやや広くなっている。これにより、第二部分１１の貫通穴１１ａをベース体２の幅方向に沿わせた状態で組み合わせ突部２１をこの貫通穴１１ａに入れ込ませた後、組み合わせ突部２１の頸部２１ｂが一対の弾性片体１１ｆ、１１ｆの基部側にあるこの一対の弾性片体１１ｆ、１１ｆ間にある貫通穴１１ａの内壁に接する位置まで連結体１をスライド移動させることにより、（図２）連結体１がベース体２の組み合わせ突部２１に吊り下げ状に支持された状態を作り出すことができるようになっている。（図３）このように吊り下げ状に支持された連結体１の上方への移動は、前記立ち上がり壁部２４によって規制され、かかる連結体１とベース体２とを分離するためには、再び、第二部分１１の貫通穴１１ａの長さ方向がベース体２の幅方向に沿う位置まで連結体１を回動操作させることを要する。これにより、予期せず連結体１とベース体２とが分離してしまうことがないようになっている。
【００４９】
【発明の効果】
この発明にかかる吊り下げ具によれば、被吊り下げ対象物側の荷重によって損耗などを生じさせることが予想される連結体を、支持対象物に取り付けられたベース体側から容易に取り外すことができ、また、被吊り下げ対象物側からも容易に取り外すことができ、かかる連結体が損耗などした場合に、容易にその交換をなすことができる。また、連結体に吊り下げ可能な部分を保持された被吊り下げ対象物の交換も、この連結体をベース体から分離させた後、連結体を構成する第一部分と第二部分との組み合わせを解くことにより、容易になすことができる。
【図面の簡単な説明】
【図１】吊り下げ具の使用状態を示す正面図
【図２】吊り下げ具の使用状態を示す正面図
【図３】吊り下げ具の使用状態を示す正面図
【図４】図３におけるＡ−Ａ線断面図
【図５】ベース体２の正面図
【図６】同背面図
【図７】図５におけるＢ−Ｂ線断面図
【図８】連結体１の正面図
【図９】同背面図
【図１０】図８におけるＣ−Ｃ線断面図
【図１１】被吊り下げ対象物Ｎに取り付けられた状態での連結体１の正面図
【図１２】同背面図
【図１３】図１１におけるＤ−Ｄ線断面図
【図１４】従来例を示す断面図
【符号の説明】
Ｎ　被吊り下げ対象物
Ｒ　支持対象物
１　連結体
１０　第一部分
１０ａ　貫通穴
１１　第二部分
１１ａ　貫通穴
１１ｂ　突出部
１１ｅ　掛合部
１２　ヒンジ部
１２ａ　空間
２　ベース体
２０　取付部
２１　組み合わせ突部
【図１】
2004100861.tif 000003
【図２】
2004100861.tif 000004
【図３】
2004100861.tif 000005
【図４】
2004100861.tif 000006
【図５】
2004100861.tif 000007
【図６】
2004100861.tif 000008
【図７】
2004100861.tif 000009
【図８】
2004100861.tif 000010
【図９】
2004100861.tif 000011
【図１０】
2004100861.tif 000012
【図１１】
2004100861.tif 000013
【図１２】
2004100861.tif 000014
【図１３】
2004100861.tif 000015
【図１４】
2004100861.tif 000016